(57)【要約】【課題】左右の両開閉扉２０の閉鎖時には、両開閉扉２０の互いに対向する端部に設けたドアパッキン２３同士を密着させて庫本体１０の正面開口部１１を気密的に閉鎖する冷蔵庫において、ドアパッキン２３での氷結や結露の発生を防止するための電力消費量を低減して省エネルギーを図る。【解決手段】ドアパッキン２３を扉本体２１に取付ける取付構造を構成する支持部材２７Ａにおける放熱板２５に対向する部位に、アルミ箔等の熱伝導性の良好な薄板２７ｄを設け、放熱板２５とその輻射熱を吸収した薄板２７ｄとの両者にてドアパッキン２３の周囲を加温して、ドアパッキン２３での氷結や結露の発生を防止する。【選択図】　　図６
2004085034.tif 000002
【特許請求の範囲】
【請求項１】
正面開口部を有する庫本体と、同庫本体の正面開口部の左右の各側縁部に各基端部を前後方向へ回動可能に組付けられて同庫本体の正面開口部を開閉する左右一対の開閉扉と、これら各開閉扉における互いに対向する対向端部の背面側に設けた支持部材に支持されて同対向端部の側面に沿って上下方向に延びるドアパッキンを備え、前記両開閉扉の閉鎖時、前記両ドアパッキンが前記庫本体の正面開口部の左右の中間部にて互いに密着して前記両開閉扉の対向端部間を気密的にシールする観音開き式貯蔵庫であり、前記支持部材は前記ドアパッキンを支持する先端部に同ドアパッキンを背面側から所定の隙間を保持して覆蓋するカバー部を備えるとともに、前記開閉扉と前記支持部材間に介在する金属製の放熱板は先端に前記ドアパッキンを正面側から所定の隙間を保持して覆蓋するカバー部を備えていて、前記支持部材の先端部における前記放熱板に対向する部位には熱伝導性の良好な薄板が設けられていることを特徴とする観音開き式貯蔵庫。
【請求項２】
請求項１に記載の観音開き式貯蔵庫において、前記薄板は金属製箔であることを特徴とする観音開き式貯蔵庫。
【請求項３】
正面開口部を有する庫本体と、同庫本体の正面開口部の左右の各側縁部に各基端部を前後方向へ回動可能に組付けられて同庫本体の正面開口部を開閉する左右一対の開閉扉と、これら各開閉扉における互いに対向する対向端部の背面側に設けた支持部材に支持されて同対向端部の側面に沿って上下方向に延びるドアパッキンを備え、前記両開閉扉の閉鎖時、前記両ドアパッキンが前記庫本体の正面開口部の左右の中間部にて互いに密着して前記両開閉扉の対向端部間を気密的にシールする観音開き式貯蔵庫であり、前記支持部材は前記ドアパッキンを支持する先端部に同ドアパッキンを背面側から所定の隙間を保持して覆蓋するカバー部を備えるとともに、前記開閉扉と前記支持部材間に介在する金属製の放熱板は先端に前記ドアパッキンを正面側から所定の隙間を保持して覆蓋するカバー部を備えていて、同放熱板の先端から基端までの左右の幅寸法は、前記カバー部から前記支持部材の取付部までの寸法に設定されていることを特徴とする観音開き式貯蔵庫。
【請求項４】
請求項３に記載の観音開き式貯蔵庫において、前記放熱板は、上下方向に延びる前記ドアパッキンと略同長の細帯状の板本体と、同板本体の先端に位置する前記ドアパッキンと略同長のカバー部と、前記板本体の後端に位置する突片状の複数の取付基端部とからなり、同放熱板の先端から基端までの左右の幅寸法は、前記カバー部から前記取付基端部までの寸法に設定されていることを特徴とする観音開き式貯蔵庫。
【請求項５】
正面開口部を有する庫本体と、同庫本体の正面開口部の左右の各側縁部に各基端部を前後方向へ回動可能に組付けられて同庫本体の正面開口部を開閉する左右一対の開閉扉と、これら各開閉扉における互いに対向する対向端部の背面側に設けた支持部材に支持されて同対向端部の側面に沿って上下方向に延びるドアパッキンを備え、前記両開閉扉の閉鎖時、前記両ドアパッキンが前記庫本体の正面開口部の左右の中間部にて互いに密着して前記両開閉扉の対向端部間を気密的にシールする観音開き式貯蔵庫であり、前記支持部材は前記ドアパッキンを支持する先端部に、同ドアパッキンを背面側から所定の隙間を保持して覆蓋する第１のカバー部と同ドアパッキンを正面側から所定の隙間を保持して覆蓋する第２のカバー部を備え、前記支持部材の前記第２のカバー部側の部位には熱伝導性の良好な薄板が設けられていることを特徴とする観音開き式貯蔵庫。
【請求項６】
請求項５に記載の観音開き式貯蔵庫において、前記薄板は金属製箔であることを特徴とする観音開き式貯蔵庫。
【発明の詳細な説明】
【０００１】
【発明の属する技術分野】
本発明は、左右の開閉扉を有する観音開き式の冷蔵庫、冷凍庫、温蔵庫等、観音開き式貯蔵庫に関する。
【０００２】
【従来の技術】
観音開き式貯蔵庫は、その一例である冷蔵庫として、例えば特開２０００−２１３８５７号公報に示されているように、正面開口部を有する庫本体と、同庫本体の正面開口部の左右の各側縁部に各基端部を前後方向へ回動可能に組付けられて同庫本体の正面開口部を開閉する左右一対の開閉扉と、これら各開閉扉における互いに対向する対向端部に設けられて同対向端部の側面に沿って上下方向に延びるドアパッキンを備え、前記両開閉扉の閉鎖時、前記両ドアパッキンが前記庫本体の正面開口部の左右の中間部にて互いに密着して前記両開閉扉の対向端部間を気密的にシールするように構成されている。
【０００３】
この種形式の貯蔵庫においては、庫本体の開口部を閉鎖する場合、左右両開閉扉の互いに対向する対向端部間からの内部空気の外部への漏洩、外部空気の内部への侵入を確実に防止するには、両開閉扉に設けた両ドアパッキンが互いに確実に密着することが必要であることから、これを達成するには、各ドアパッキンが各開閉扉の設定された部位に、かつ、設定された取付け状態に的確に取付けられなければならない。このためには、ドアパッキンを容易に取付けることができて、設定された取付け状態に支持し得る支持部材を開閉扉の所定の部位に取付けて、この支持部材にドアパッキンを支持するようにすることが好ましい。
【０００４】
この場合、支持部材を介してドアパッキンを開閉扉の対向端部側に取付けた状態においては、ドアパッキンの背部が庫本体内に直接露呈することになって、露呈する部位が氷結したり結露することになることから、その対策として、支持部材の先端部にドアパッキンを背面側から所定の隙間を保持して覆蓋するカバー部を設けるとともに、開閉扉と支持部材間に金属製の放熱板を介在させて、その先端部にドアパッキンを正面側から所定の隙間を保持して覆蓋するカバー部を設ける手段を採っている。これらの手段によれば、支持部材側に設けたカバー部によってドアパッキンの背部の庫本体内への直接的な露呈が防止されるとともに、放熱板側に設けたカバー部によってドアパッキンの正面側から加温されることになって、ドアパッキンにおける氷結や結露が大幅に抑制されることになる。
【０００５】
【発明が解決しようとする課題】
ところで、当該形式の観音開き式貯蔵庫において、ドアパッキンを開閉扉の対向端部に設ける場合、上記したごとき支持部材を使用した取付構造を採用する場合には下記のごとき問題点を解決することが好ましい。すなわち、問題点の第１は、ドアパッキンの氷結や結露を防止するための放熱板は、開閉扉側に配設した電気ヒータからの熱を受けてこれを放熱するものであって、電気ヒータの消費電力にある。省エネルギー対策を図るためには、電気ヒータの消費電力を低減する手段を採ることが好ましい。
【０００６】
問題点の第２は、上記したドアパッキンの取付構造を採用する場合の支持部材のカバー部とドアパッキンの背部間の隙間や、その他の部位で発生する氷結および結露にある。当該隙間やその他の部位での氷結および結露は、支持部材のカバー部が存在しない場合に比較して大幅に抑制されてはいるが、わずかではあるが発生するおそれがある。
【０００７】
従って、本発明の目的は、当該形式の観音開き式貯蔵庫において、ドアパッキンの開閉扉への取付け手段として上記した取付構造を採用する場合の、上記した各問題に対処することにある。
【０００８】
【課題を解決するための手段】
本発明は、左右の開閉扉を有する観音開き式の冷蔵庫、冷凍庫、温蔵庫等、観音開き式貯蔵庫に関するもので、正面開口部を有する庫本体と、同庫本体の正面開口部の左右の各側縁部に各基端部を前後方向へ回動可能に組付けられて同庫本体の正面開口部を開閉する左右一対の開閉扉と、これら各開閉扉における互いに対向する対向端部の背面側に設けた支持部材に支持されて同対向端部の側面に沿って上下方向に延びるドアパッキンを備え、前記両開閉扉の閉鎖時、前記両ドアパッキンが前記庫本体の正面開口部の左右の中間部にて互いに密着して前記両開閉扉の対向端部間を気密的にシールする形式の観音開き式貯蔵庫を適用対象とするものである。
【０００９】
しかして、本発明に係る第１の観音開き式貯蔵庫においては、前記支持部材は前記ドアパッキンを支持する先端部に同ドアパッキンを背面側から所定の隙間を保持して覆蓋するカバー部を備えるとともに、前記開閉扉と前記支持部材間に介在する金属製の放熱板は先端に前記ドアパッキンを正面側から所定の隙間を保持して覆蓋するカバー部を備えていて、前記支持部材の先端部における前記放熱板に対向する部位には熱伝導性の良好な薄板が設けられていることを特徴とするものである。当該貯蔵庫においては、前記薄板として金属製箔を採用することができる。
【００１０】
また、本発明に係る第２の観音開き式貯蔵庫においては、前記支持部材は前記ドアパッキンを支持する先端部に同ドアパッキンを背面側から所定の隙間を保持して覆蓋するカバー部を備えるとともに、前記開閉扉と前記支持部材間に介在する金属製の放熱板は先端に前記ドアパッキンを正面側から所定の隙間を保持して覆蓋するカバー部を備えていて、同放熱板の先端から基端までの左右の幅寸法が、前記カバー部から前記支持部材の取付部までの寸法に設定されていることを特徴とするものである。当該貯蔵庫においては、前記放熱板を、上下方向に延びる前記ドアパッキンと略同長の細帯状の板本体と、同板本体の先端に位置する前記ドアパッキンと略同長のカバー部と、前記板本体の後端に位置する突片状の複数の取付基端部にて構成して、同放熱板の先端から基端までの左右の幅寸法を、前記カバー部から前記取付基端部までの寸法に設定するようにすることができる。
【００１１】
本発明に係る第３の観音開き式貯蔵庫においては、前記支持部材は前記ドアパッキンを支持する先端部に、同ドアパッキンを背面側から所定の隙間を保持して覆蓋する第１のカバー部と同ドアパッキンを正面側から所定の隙間を保持して覆蓋する第２のカバー部を備え、前記支持部材の前記第２のカバー部側の部位には熱伝導性の良好な薄板が設けられていることを特徴とするものである。当該貯蔵庫においては、前記薄板として金属製箔を採用することができる。
【００１２】
【発明の作用・効果】
本発明に係る各観音開き式貯蔵庫においては、第１の貯蔵庫にあっては、ドアパッキンを開閉扉に取付ける取付構造を構成する支持部材の先端部における放熱板に対向する部位に、熱伝導性の良好な薄板を備えている。当該薄板は、電気ヒータからの輻射を吸収して輻射熱を放熱すべく機能することから、当該取付構造においては、放熱板単体の場合に比較してドアパッキン側への放熱をより集中し得て、ドアパッキンにおける氷結および結露の発生を大幅に抑制することができる。
【００１３】
この結果、電気ヒータの電力消費量を大幅に低減することが可能である。また、電気ヒータの電力消費量を大幅に低減させる場合には、電気ヒータにて発生する放熱量を低減し得て、当該放熱の庫本体内への伝達が低減す結果、庫本体内の空気の温度保持機能が向上することになる。
【００１４】
本発明に係る第２の貯蔵庫にあっては、ドアパッキンを開閉扉に取付ける取付構造を構成する放熱板の先端から基端までの左右の幅寸法を、カバー部から支持部材の取付部までの寸法に設定している。具体的には、放熱板を、上下方向に延びるドアパッキンと略同長の細帯状の板本体と、同板本体の先端に位置するドアパッキンと略同長のカバー部と、板本体の後端に位置する突片状の複数の取付基端部にて構成して、放熱板の先端から基端までの左右の幅寸法を、カバー部から取付基端部までの寸法に設定している。
【００１５】
かかる構成の放熱板は、ドアパッキンの周囲の温度を上昇させるための必要かつ十分な大きさである。このため、当該放熱板によれば、小さい熱容量に起因して電気ヒータの電力消費量を低減することができ、かつ、小さい面積に起因して庫本体内の冷気からの熱伝達が少なくて、放熱板を加温するための電気ヒータの電力消費量を低減することができる。この結果、当該放熱板によれば、電気ヒータの電力消費量を大幅に低減することができる。
【００１６】
本発明に係る第３の貯蔵庫にあっては、ドアパッキンを開閉扉に取付ける取付構造を構成する支持部材の先端部に、同ドアパッキンを背面側から所定の隙間を保持して覆蓋する第１のカバー部と同ドアパッキンを正面側から所定の隙間を保持して覆蓋する第２のカバー部を設けて、第２のカバー部側の部位に熱伝導性の良好な薄板を設けた構成にしている。
【００１７】
かかる構成の支持部材においては、第２のカバー部に設けた薄板が上記した第１，第２の貯蔵庫における取付構造を構成する放熱板と同様に機能することから、当該取付構造においては放熱板を省略することができるとともに、当該薄板は面積の小さいものを採用すればよいことから、放熱用の電気ヒータの電力消費量を低減することができる。また、薄板としてアルミ泊等の金属製箔を採用すれば、小さい熱容量および高伝熱性に起因して、電気ヒータの電力消費量を一層低減することができる。
【００１８】
本発明に係る観音開き式貯蔵庫は、左右の開閉扉を有する観音開き式の冷蔵庫、冷凍庫、温蔵庫等、庫本体の正面開口部の無区画部位を左右の開閉扉で開閉する形式のいずれの貯蔵庫にも適用することができるが、庫本体内の内気と庫本体外の外気とに大きな差があって、当該差に起因してドアパッキンおよびその取付部位の周囲で氷結や結露が発生するおそれが大きい冷蔵庫や冷凍庫等に好適に適用することができる。
【００１９】
【発明の実施の形態】
本発明は、観音開き式貯蔵庫に関するもので、正面開口部を有する庫本体と、同庫本体の正面開口部の左右の各側縁部に各基端部を前後方向へ回動可能に組付けられて同庫本体の正面開口部を開閉する左右一対の開閉扉と、これら各開閉扉における互いに対向する対向端部の背面側に設けた支持部材に支持されて同対向端部の側面に沿って上下方向に延びるドアパッキンを備え、前記両開閉扉の閉鎖時、前記両ドアパッキンが前記庫本体の正面開口部の左右の中間部にて互いに密着して前記両開閉扉の対向端部間を気密的にシールする形式の観音開き式貯蔵庫を適用対象とするものである。図１には、本発明が適用対象とする観音開き式貯蔵庫の一例である観音開き式冷蔵庫を示している。本発明に係る観音開き式貯蔵庫の実施形態では、当該冷蔵庫におけるドアパッキンを開閉扉に取付ける取付構造を改良しているものである。
【００２０】
当該冷蔵庫は、図１および図２に示すように、正面開口部１１を上側開口部１１ａと下側開口部１１ｂの上下２段に有する庫本体１０と、庫本体１０の正面開口部１１における上下の各開口部１１ａ，１１ｂの各側縁部に基端部を前後方向へ回動可能に組付けられて、正面開口部１１の上側開口部１１ａを開閉する上側の左右一対の開閉扉２０ａ、２０ｂと、正面開口部１１の下側開口部１１ｂを開閉する下側の左右一対の開閉扉２０ｃ，２０ｄを備え、これらの４枚の開閉扉２０ａ〜２０ｄの開閉操作により、庫本体１０の正面開口部１１の上下の各開口部１１ａ，１１ｂを、開放しかつ閉鎖し得るように構成されている。
【００２１】
上側の各開閉扉２０ａ，２０ｂは互に左右対称に、下側の各開閉扉２０ｃ，２０ｄは互に左右対称に、かつ、左側の各開閉扉２０ａ、２０ｃは互に上下対称に、右側の各開閉扉２０ｂ，２０ｄは互に上下対称に形成されている点を除き、実質的に全て同一構造に構成されている。従って、以下では、各開閉扉２０ａ〜２０ｄの構成については開閉扉２０として説明し、各開閉扉の相互の関係について説明する必要がある場合には、各開閉扉２０ａ〜２０ｄを使い分けて説明する。
【００２２】
開閉扉２０においては、図１〜図３に示すように、扉本体２１は樹脂製のインナパネル２１ａと、金属製のアウタパネル２１ｂと、これら両パネル２１ａ，２１ｂ間に形成された空間部に充填されている断熱材２１ｃにて構成されているもので、扉本体２１の背面における周縁部に第１ドアパッキン２２が配設されているとともに、扉本体２１の背面における対向端部側に第２ドアパッキン２３が配設されている。これら両ドアパッキン２２，２３は共に、合成樹脂製の軟質の本体にマグネットを内蔵しているものである。
【００２３】
第１ドアパッキン２２はコ字状を呈していて、扉本体２１の背面にてその基端部から上端部および下端部に沿って、扉本体２１の背面における対向端部側の上下各端部に達している。第２ドアパッキン２３は、上下方向に延びる直線状のもので、後述する支持部材２４に支持された状態で取付けられて、扉本体２１の背面における対向端部側に位置して、第１ドアパッキン２２の上下各端部に達している。
【００２４】
これにより、開閉扉２０の閉鎖時には、第１ドアパッキン２２は庫本体１０の正面開口部１１の周縁部に当接し、上側の左右の両開閉扉２０ａ，２０ｂの閉鎖時には、第１ドアパッキン２２は庫本体１０の正面開口部１１における上側開口部１１ａの周縁部に当接するとともに、左右の第２ドアパッキン２３が互いに密着して、両開閉扉２０ａ，２０ｂ間を気密的にシールする。下側の左右の開閉扉２０ｃ，２０ｄも同様に閉鎖されて、庫本体１０の正面開口部１１における下側開口部１１ｂが密閉状態に閉鎖される。なお、図２に示す符号２２ａ，２２ｂは、第２ドアパッキン２３の上下各端部に嵌着されて同ドアパッキン２３を支承する支承部材である。
【００２５】
しかして、第２ドアパッキン２３は、図３〜図５に示すように、支持部材２４に支持されていて、支持部材２４を介して開閉扉２０に取付けられている。第２ドアパッキン２３（以下、単にドアパッキン２３ということがある）は、特に図４に示すように、筒状本体２３ａと、柱状の脚部２３ｂと、これらを連結する連結部２３ｃと、所定長さで角柱状の複数のマグネット２３ｄとからなるもので、各マグネット２３ｄは筒状本体２３ａ内にて、上下方向に所定間隔を保持して埋設されている。
【００２６】
第２ドアパッキン２３においては、筒状本体２３ａおよび連結部２３ｃが軟質の合成樹脂にて形成され、かつ、脚部２３ｂが硬質の合成樹脂にて形成されており、これらの軟質および硬質の両部位は押出し成形により一体的に成形されている。筒状本体２３ａは弾性で可撓性を有する柱状を呈し、かつ、脚部２３ｂは剛性を有する柱状を呈するもので、筒状本体２３ａはそれ自体または連結部２３ｃを介して左右方向に伸縮可能であるとともに、連結部２３ｃを介して前後方向へ揺動可能である。
【００２７】
脚部２３ｂは、断面Ｈ状の基部２３ｂ１と、基部２３ｂ１の後端側部から側方へ突出する突出片部２３ｂ２からなるもので、左右のドアパッキン２３においては、各脚部２３ｂは左右対称の互いに異なる形状に形成されている。左右のドアパッキン２３の各マグネット２３ｄにおいては、Ｎ極およびＳ極が前後方向に互いに異なるように位置している。第２ドアパッキン２３は、脚部２３ｂの基部２３ｂ１が有する各縦溝２３ｂ３に柱状の被受承部材２３ｅを嵌着された状態で、後述する支持部材２４に取付けられる。被受承部材２３ｅは、硬質の合成樹脂からなる所定長さのもので、各縦溝２３ｂ３には接着剤を介して固着されている。
【００２８】
支持部材２４は合成樹脂製のもので、図２〜図４に示すように、所定幅で所定長さの平板部２４ａと、平板部２４ａの先端部に位置するパッキン支持部２４ｂと、平板部２４ａの中央部に位置する取付凹部２４ｃとからなり、取付凹部２４ｃは蓋体２４ｄにて覆蓋されるように構成されている。支持部材２４は、取付凹部２４ｃにて、ネジ２４ｅによって開閉扉２０のインナパネル２１ａに固定されて取付けられている。
【００２９】
パッキン支持部２４ｂは、平板部２４ａの上下方向の全長にわたって形成されており、挿入溝２４ｂ１、カバー部２４ｂ２、および受承突起２４ｂ３を備えている。パッキン支持部２４ｂの挿入溝２４ｂ１は、ドアパッキン２３の脚部２３ｂの断面形状に類似する形状を呈するもので、ドアパッキン２３の脚部２３ｂが抜差し可能に形成されている。ドアパッキン２３は、その脚部２３ｂをパッキン支持部２４ｂの挿入溝２４ｂ１に挿入されて支持部材２４に支持されるが、この支持状態では、脚部２３ｂの一部が挿入溝２４ｂ１を左右に貫通していて、筒状本体２３ａを支持部材２４のカバー部２４ｂ２の前側に近接して位置させ、かつ、マグネット２３ｄの埋設部位を外側に位置させる。また、パッキン支持部２４ｂの各受承突起２４ｂ３は、ドアパッキン２３の各縦溝２３ｂ３内に突出して各被受承部材２３ｅを下方から受承する。支持部材２４のカバー部２４ｂ２は、ドアパッキン２３の筒状本体２３ａを、背面側から所定の隙間を保持して覆蓋している。
【００３０】
開閉扉２０における支持部材２４の取付部位は、図３に示すように、インナパネル２１ａに設けた取付凹部２１ｄにて形成されていて、この取付凹部２１ｄには金属製の放熱板２５が固定されており、この放熱板２５を介して支持部材２４が取付けられている。支持部材２４は、その平板部２４ａの内面に断熱材片２４ｆを貼着された状態で、インナパネル２１ａの取付凹部２１ｄに嵌合されていて、その取付凹部２４ｃの底部表面を取付凹部２１ｄ内の放熱板２５の表面に当接させた状態でネジ２４ｅ止めされている。支持部材２４の取付凹部２４ｃには、その開口部に蓋体２４ｄが嵌合されていて、蓋体２４ｄは取付凹部２４ｃの開口部を閉塞している。
【００３１】
蓋体２４ｄは断面コ字状を呈するもので、その裏面に断熱材片２４ｆを貼着された状態で、支持部材２４の取付凹部２４ｃに液密的に嵌着されており、これにより、取付凹部２４ｃの開口部を閉塞しているとともに、同開口部を平板部２４ａと同一平面に形成している。これにより、ネジ２４ｅは、蓋体２４ｄと取付凹部２４ｃが形成する空間部に収容されて、外部へ露出するのを防止されている。
【００３２】
この空間部には、電気ヒータ２６ａを電源に接続するためのリード線２６ｂが配線されているとともに、支持部材２４と放熱板２５が形成する空間部には、電気ヒータ２６ａが配線されている。電気ヒータ２６ａは、放熱板２５に当接して配線されている。また、放熱板２５の先端部２５ａは、インナパネル２１ａの取付凹部２１ｄから側方へ突出していて、支持部材２４に支持したドアパッキン２３の筒状本体２３ａの前側に位置している。すなわち、放熱板２５の先端部２５ａはカバー部に形成されていて、カバー部２５ａはドアパッキン２３の筒状本体２３ａを、正面側から所定の隙間を保持して覆蓋している。
【００３３】
これにより、支持部材２４は、図２および図３に示すように扉本体２１に取付けられ、この状態で、第２ドアパッキン２３の上端部が支持部材２４の上端部から所定量上方へ突出し、かつ、同ドアパッキン２３の下端部が支持部材２４の下端部から所定量下方へ突出している。
【００３４】
扉本体２１の背面に取付けられている第１ドアパッキン２２の各先端部には、支承部材２２ａ，２２ｂが固着されている。各支承部材２２ａ，２２ｂは、第２ドアパッキン２３のパッキン本体２３ａにおける上下各端部に嵌合して、同ドアパッキン２３を上下から支承している。各支承部材２２ａ，２２ｂは合成樹脂からなる硬質のもので、第１ドアパッキン２２の弾撥力により筒状本体２３ａの端部に弾撥的に嵌合していて、例えば、上側の支承部材２２ａの頂部を持ち上げて第１ドアパッキン２２の先端部を撓ませれば、第２ドアパッキン２３の上端部から離脱させて、同ドアパッキン２３を支持部材２４から引抜くことができる。
【００３５】
このように構成した観音開き式冷蔵庫においては、全ての開閉扉２０ａ〜２０ｄを閉鎖した状態では、各開閉扉２０ａ〜２０ｄの背面に設けた第１ドアパッキン２２が庫本体１０の正面開口部１１の周縁部に密着するとともに、上側の両開閉扉２０ａ，２０ｂに設けた第２ドアパッキン２３同士、および下側の両開閉扉２０ｃ，２０ｄに設けた第２ドアパッキン２３同士が密着し、庫本体１０の正面開口部１１における上下の各開口部１１ａ，１１ｂを密閉する。
【００３６】
図５は、左側の開閉扉２０ａを閉鎖した状態で右側の開閉扉２０ｂを閉鎖する状態を模式的に示すもので、同図（ａ）は両開閉扉２０ａ，２０ｂが閉鎖した状態、同図（ｂ）は右側の開閉扉２０ｂが閉鎖直前の状態、同図（ｃ）は右側の開閉扉２０ｂが閉鎖するさらに前の状態を状態を示している。
【００３７】
当該冷蔵庫においては、両開閉扉２０ａ，２０ｂが閉鎖した状態では、図５（ａ）に示すように、両開閉扉２０ａ，２０ｂに設けた各ドアパッキン２３は、支持部材２４のカバー部２４ｂ２と放熱板２５のカバー部２５ａによりそれらの背面側および正面側から覆蓋されていて、電気ヒータ２６ａから放熱板２５を介して伝達される熱によって凍結および結露を防止される。また、両開閉扉２０ａ，２０ｂの第２ドアパッキン２３は筒状本体２３ａの対向面にて互いに密着し、かつ、上下各端部を各支承部材２２ａ，２２ｂと嵌合して、庫本体１０の正面開口部１１の上側の開口部１１ａからの冷気の漏洩、外部の空気の侵入を防止している。なお、両開閉扉２０ｃ，２０ｄが閉鎖している状態でも同様に、庫本体１０の正面開口部１１の下側の開口部１１ｂを密閉し、開口部１１ｂからの冷気の漏洩、外部の空気の侵入を防止している。
【００３８】
図５（ｃ）は、左側の開閉扉２０ａを閉鎖した後に、右側の開閉扉２０ｂを閉鎖しようとする状態を示していて、両ドアパッキン２３は両マグネット２３ｄのＳ極−Ｓ極が対向して反発し合うが、開閉扉２０ｂが正面開口部１１側へ回動されて、開閉扉２０ｂに設けた第２ドアパッキン２３が同図（ｂ）に示すように開閉扉２０ａに設けた第２ドアパッキン２３に近接して、さらに、同図（ａ）に示すように開閉扉２０ｂが完全に閉鎖された状態では、両マグネット２３ｄのＮ極−Ｓ極が引き合って密着し、庫本体１０の正面開口部１１は密閉される。
【００３９】
このように、当該冷蔵庫においては、全ての開閉扉２０ａ〜２０ｄを閉鎖することにより、庫本体１０の正面開口部１１（上下の開口部１１ａ，１１ｂ）を密閉状態に確実に閉鎖することができるとともに、各ドアパッキン２３での凍結、結露を防止し、かつ、外部から庫本体１０内への外気の侵入、および庫本体１０内からの冷気の外部への漏洩を防止することができる。
【００４０】
しかして、本発明に係る観音開き式冷蔵庫においては、第２ドアパッキン２３を開閉扉２０に取付ける取付構造を改良しているもので、その第１の実施形態では、当該取付構造を構成している支持部材を、支持部材２４に替えて、図６および図７に示す支持部材２７Ａを採用している。支持部材２７Ａは、支持部材２４とは、基本的には形状および構造を同じくするものであるが、支持部材２７Ａを構成するパッキン支持部２７ｂにおける放熱板２５に対向する面にアルミ箔テープが貼着されている点で相違する。
【００４１】
支持部材２７Ａは合成樹脂製のもので、支持部材２４と同様に、所定幅で所定長さの平板部２７ａと、平板部２７ａの先端部に位置するパッキン支持部２７ｂと、平板部２７ａの中央部に位置する取付凹部２７ｃとからなり、取付凹部２７ｃは蓋体２４ｄにて覆蓋されるように構成されている。支持部材２７においては、取付凹部２７ｃの底部に、取付用長孔２７ｃ１とリード線２６ｂの挿通用長孔２７ｃ２が複数形成されている。各取付用長孔２７ｃ１は、取付用のネジ２４ｅの挿通孔であって、支持部材２７Ａの左右の幅方向に長い形状のものである。このため、支持部材２７Ａをネジ２４ｅを介して扉本体２１に取付ける場合には、取付用長孔２７ｃ１にネジ２４ｅを挿通して仮止めした状態で支持部材２７Ａを左右方向に位置調整可能となっている。
【００４２】
支持部材２７Ａにおいては、パッキン支持部２４ｂにおける放熱板２５に対向する面にアルミ箔テープ２７ｄが貼着されている。アルミ箔テープ２７ｄは、本発明における熱伝達性の良好な薄板に該当するもので、電気ヒータ２６ａからの輻射を吸収して輻射熱を放熱すべく機能する。従って、支持部材２７Ａを構成部材とする当該取付構造においては、放熱板２５単体の場合に比較して、第２ドアパッキン２３に集中する放熱量がより多くなって、第２ドアパッキン２３における氷結および結露の発生を大幅に抑制することができるとともに、結果的には、電気ヒータ２６ａの電力消費量を大幅に低減することが可能となる。また、電気ヒータ２６ａの電力消費量を大幅に低減させる場合には、電気ヒータ２６ａにて発生する放熱量を低減し得て、当該放熱の庫本体１０内への伝達が低減す結果、庫本体１０内の冷気の温度保持機能が向上することになる。
【００４３】
本発明に係る観音開き式冷蔵庫の第２の実施形態では、当該取付構造を構成している放熱板を、放熱板２５に替えて、図８および図９に示す放熱板２８を採用している。放熱板２８は、放熱板２５とは左右の幅寸法を大きく異にしているものである。放熱板２８は、扉本体２１の上下の長さと略同じ長さのもので、Ｌ字状および逆Ｌ字状を一体にした断面形状の板本体２８ａと、板本体２８ａの先端に屈折して形成されているカバー部２８ｂと、板本体２８ａの後端にて形成されている突片状の複数の取付基端部２８ｃとにより構成されている。
【００４４】
放熱板２８は、板本体２８ａの後端に設けられている各取付基端部２８ｃにて、支持部材２４と一体に扉本体２１の背面側に取付けらて扉本体２１の対向端部より先端側へ延びて、カバー部２８ｂが第２ドアパッキン２３の正面側に対向して位置する。なお、図８における符号２４ｇは、支持部材２４を取付けた際の滑り止めのためのゴム製の滑り防止板である。
【００４５】
放熱板２８においては、カバー部２８ｂの先端から取付基端部２８ｃの後端までの左右の幅寸法は放熱板２５の左右の幅寸法に比較して短く設定されており、特に、放熱機能を発揮する板本体２８ａとカバー部２８ｂを合わせた左右の幅寸法は、放熱板２５の左右の幅寸法に比較して略半分の極めて短い幅寸法に設定されている。当該取付構造においては、放熱板２８は、第２ドアパッキン２３の筒状本体２３ａの周囲の温度を上昇させるために必要な最小の面積に設定されて熱容量が小さくなっている。
【００４６】
このため、放熱板２８を加熱するための電気ヒータ２６ａの電力消費量を低減することができるとともに、放熱板２８の小さい面積に起因して庫本体１０内の冷気からの熱伝達が少なくて、この面からも、放熱板２８を加熱するための電気ヒータの電力消費量を低減することができる。この結果、放熱板２８によれば、電気ヒータ２６ａの電力消費量を大幅に低減することができることとなる。
【００４７】
本発明に係る観音開き式冷蔵庫の第３の実施形態では、当該取付構造を構成している支持部材を、支持部材２４に替えて、図１０に示す支持部材２７Ｂを採用して、当該取付構造を構成している放熱板２５を省略している。支持部材２７Ｂは、支持部材２７Ａと同様に、所定幅で所定長さの平板部２７ａと、平板部２７ａの先端部に位置するパッキン支持部２７ｂと、平板部２７ａの中央部に位置する取付凹部２７ｃを備えるとともに、パッキン支持部２７ｂが有するカバー部２７ｂ１（第１のカバー部）に対向する第２のカバー部２７ｂ２を備えている。また、支持部材２７Ｂを構成ずるパッキン支持部２４ｂの第２のカバー部２７ｂ２から平板部２７ａの一部における扉本体２１に対向する面には、箔状のアルミ薄板２７ｅが貼着されていて、電気ヒータ２６ａはアルミ薄板２７ｅに接して配設されている。
【００４８】
当該取付構造を構成する支持部材２７Ｂにおいては、パッキン支持部２４ｂの第２のカバー部２７ｂ２から平板部２７ａの一部に貼着されているアルミ薄板２７ｅが、上記した各取付構造を構成する放熱板２５，２８と同様に機能するもので、当該支持部材２７Ｂを採用して取付構造を構成すれば、放熱板２５，２８等の別部材からなる放熱板を省略することができる。また、放熱板として機能するアルミ薄板２７ｅは、第１の実施形態における取付構造を構成するアルミ箔テープ２７ｄと同様、面積が小さくて熱容量が小さいことから、放熱用の電気ヒータ２６ａの電力消費量を低減することができる。
【００４９】
本発明が適用対象とする形式の冷蔵庫が有する第２ドアパッキン２３の取付構造や、本発明に係る冷蔵庫の各実施形態における第２ドアパッキン２３の取付構造においては、蓋体２４ｄ内に収容する断熱材片２４ｆを廃止して、これに替わる物として、図１１に示す円弧状の軟質部材２４ｈを採用することができる。軟質部材２４ｈは、蓋体２４ｄ内に設けられてその開口部側に円弧状に突出しているもので、断熱材片２４ｆと同様に、支持部材２４の取付凹所２４ｃに配置されているリード線２６ｂを弾撥的に押さえて保護すべく機能する。
【００５０】
円弧状の軟質部材２４ｈは、リード線２６ｂを弾撥的に押さえた状態では、図１０の２点鎖線で示すように、リード線２６ｂとの接触部が蓋体２４ｄの開口部とは反対側に撓んでいる。このため、円弧状の軟質部材２４ｈにおいては、蓋体２４ｄに対する変形作用力が小さくて、大きな変形作用力に起因して、蓋体２４ｄを支持部材から離脱させるようなことはない。円弧状の軟質部材２４ｈは、本発明に係る冷蔵庫の各実施形態における第２ドアパッキン２３の取付構造にあっても、当然のことながら、採用する蓋体に適用し得るものである。
【００５１】
また、本発明が適用対象とする形式の冷蔵庫が有する第２ドアパッキン２３の取付構造や、本発明に係る冷蔵庫の各実施形態における第２ドアパッキン２３の取付構造においては、支持部材の扉本体２１側の取付部位に、例えば、図１２に示す突出部２５ｂを形成するようにすることができる。突出部２５ｂは、放熱板２５に設けられているもので、支持部材２４をネジ２４ｅを介して扉本体２１に取付ける場合、ネジ２４ｅの締結力によって支持部材２４の取付凹部２４ｃの底面側に食込んで、支持部材２４の左右の幅方向の移動を規制すべく機能する。
【００５２】
支持部材２４は、互いに対向する第２ドアパッキン２３同士の密着を確保するために、扉本体２１に対して左右方向に位置調整可能に構成されていることから、庫本体１０の内部に対して出入れする収納物を支持部材２４に衝突させると、支持部材２４は位置ずれをおこすおそれがあるが、突出部２５ｂは支持部材２４の取付凹部２４ｃの底面側に食込んだ状態にあって、支持部材２４の左右の幅方向の移動を規制することによって、互いに対向する第２ドアパッキン２３同士の密着を確保する。突出部２５ｂは、本発明に係る冷蔵庫の各実施形態における第２ドアパッキン２３の取付構造においては、第１の実施形態にあっては採用している放熱板２８に形成し、また、第２の実施形態にあっては庫本体２１のインナパネル２１ａに形成することができる。
【図面の簡単な説明】
【図１】本発明が適用対象とする形式の観音開き式貯蔵庫の一例である冷蔵庫の正面図である。
【図２】同冷蔵庫を構成する左右の開閉扉の閉鎖状態における背面図である。
【図３】同冷蔵庫を構成する右側の開閉扉の一部切欠き部分平面図である。
【図４】同冷蔵庫を構成する左側の開閉扉に取付けられる第２ドアパッキンの横断面図である。
【図５】同冷蔵庫の左右の開閉扉を閉鎖する操作状態を示す模式的な説明図である。
【図６】本発明に係る冷蔵庫の第１の実施形態における第２ドアパッキンの取付構造を示す横断面図である。
【図７】同取付構造を構成する支持部材の背面図（ａ）、および、同一側からの側面図（ｂ）である。
【図８】本発明に係る冷蔵庫の第２の実施形態における第２ドアパッキンの取付構造を示す横断面図である。
【図９】同取付構造を構成する放熱板の背面図である。
【図１０】本発明に係る冷蔵庫の第３の実施形態における第２ドアパッキンの取付構造を示す横断面図である。
【図１１】第２ドアパッキンの各取付構造を構成する蓋体の変形例を示す横断面図である。
【図１２】第２ドアパッキンの各取付構造の変形例を示す縦断面図である。
【符号の説明】
１０…庫本体、１１…正面開口部、２０（２０ａ，２０ｂ，２０ｃ，２０ｄ）　…開閉扉、２１…扉本体、２１ａ…インナパネル、２１ｂ…アウタパネル、２１ｃ…断熱材、２１ｄ…取付凹部、２２…第１ドアパッキン、２２ａ，２２ｂ…支承部材、２３…第２ドアパッキン、２３ａ…筒状本体、２３ｂ…脚部、２３ｂ１…基部、２３ｂ２…突出片部、２３ｂ３…縦溝、２３ｃ…連結部、２３ｄ…マグネット、２３ｅ…被受承部材、２４…支持部材、２４ａ…平板部、２４ｂ…パッキン支持部、２４ｂ１…挿入部、２４ｂ２…カバー部、２４ｂ３…受承突起、２４ｃ…取付凹部、２４ｄ…蓋体、２４ｅ…ネジ、２４ｆ…断熱材片、２４ｇ…滑り防止板、２４ｈ…軟質部材、２５…放熱板、２５ａ…カバー部、２５ｂ…突出部、２６ａ…電気ヒータ、２６ｂ…リード線、２７Ａ，２７Ｂ…支承部材、２７ａ…平板部、２７ｂ…パッキン支持部、２７ｂ１…カバー部（第１のカバー部）、２７ｂ２…カバー部（第２のカバー部）、２７ｃ…取付凹部、２７ｃ１…取付用長孔、２７ｃ２…挿通用長孔、２７ｄ…アルミ箔テープ、２７ｅ…アルミ薄板、２８…放熱板、２８ａ…板本体、２８ｂ…カバー部、２８ｃ…取付基端部。
【図１】
2004085034.tif 000003
【図２】
2004085034.tif 000004
【図３】
2004085034.tif 000005
【図４】
2004085034.tif 000006
【図５】
2004085034.tif 000007
【図６】
2004085034.tif 000008
【図７】
2004085034.tif 000009
【図８】
2004085034.tif 000010
【図９】
2004085034.tif 000011
【図１０】
2004085034.tif 000012
【図１１】
2004085034.tif 000013
【図１２】
2004085034.tif 000014